(57)【要約】【課題】部品数を増やさずに、不正防止手段を容易に実行することが可能な遊技機を提供することにある。【解決手段】本発明に係る遊技機１０は、遊技球が転動又は流下可能な遊技領域１１０を有すると共に、上記遊技領域１１０に配置され、上記遊技球の入球に起因して作動する一般入賞口１１１、第１始動口１１２、第２始動口１１３、ゲート１１４及び大入賞口１１５を設けた遊技盤１００と、上記遊技盤１００の背面に配置され、上記遊技盤１００の背面側に突出する一般入賞口１１１、第１始動口１１２、第２始動口１１３、ゲート１１４及び大入賞口１１５の突出部を保護する保護ケース１２２とを少なくとも具備し、上記遊技盤１００の背面には、凹部１２１が形成されると共に、上記保護ケース１２２のフランジ部１２２ａの少なくとも一部を上記凹部１２１に挿入して上記遊技盤１００に上記保護ケース１２２が固定されて構成されている。【選択図】図４
2011087620.tif 000002
【特許請求の範囲】
【請求項１】
遊技球が転動又は流下可能な遊技領域を有すると共に、前記遊技領域に配置され、前記遊技球の入球に起因して作動する賞球手段を設けた遊技盤と、
前記遊技盤の背面に配置され、前記遊技盤の背面側に突出する前記賞球手段の突出部を保護する保護ケースと、を少なくとも具備する遊技機において、
前記遊技盤の背面には、凹部が形成されると共に、前記保護ケースの周縁の少なくとも一部を前記凹部に挿入して前記遊技盤に前記保護ケースが固定される、
ことを特徴とする遊技機。
【請求項２】
前記遊技盤の前記遊技領域には、前記遊技領域の下方に配置され、前記遊技領域の下方に流下した前記遊技球を外部に排出する排出口が設けられ、
前記賞球手段と前記排出口とは、前記遊技盤の幅方向に対して互いに異なる位置に配置され、前記賞球手段の下方に位置する前記保護ケースの周縁を前記遊技盤の前記凹部に挿入して前記遊技盤に前記保護ケースを固定させる、
ことを特徴とする請求項１記載の遊技機。
【発明の詳細な説明】
【技術分野】
【０００１】
本発明は、遊技機に関し、より詳細には、透明フィルム、ピアノ線、針金等の不正行為実行具を遊技機に挿入して入賞手段等を不正に作動させる不正行為を防止する不正行為防止手段を備えた遊技機に関する。
【背景技術】
【０００２】
従来、遊技機は、遊技機に何かしらの不具合が生じた際、この不具合を解消するために複数の扉機構を開閉可能に重ねて配置されており、具体的には、遊技機の外郭を形成する支持体に、この支持体の側辺を軸にして回動可能となるように支持された複数の扉機構、すなわち、透過部材保持枠及び遊技盤保持枠を備えて構成されている。
【０００３】
また、遊技機は、遊技盤に配置された排出口から遊技機の外部に遊技球を送り出すために、支持体、遊技盤保持枠等に遊技機の外部に連通する孔、通路等を設けて構成されている。
【０００４】
ところで、遊技機は、回動可能に重ねて配置された透過部材保持枠及び遊技盤保持枠の間に生じる僅かな隙間、或いは、支持体、遊技盤保持枠等に設けられた遊技機の外部に連通する孔、通路等により遊技機内を完全に封止することができない。
【０００５】
したがって、遊技機は、遊技機の遊技領域に配置された始動口等の入賞手段に遊技球を入球させると抽選が開始され、この抽選に当選すると、通常、閉じた状態を維持している大入賞口が開放され、所定の条件に応じて遊技球を賞球として払い出すものであるが、上述したように、遊技機内を完全に封止することができないため、隙間、孔又は通路等に不正行為実行具を挿入して賞球を得ようとする不正行為が多数報告されている。
【０００６】
このような不正行為を防止するものとして、例えば、特許文献１では、前枠、内枠の軸支側端部間の隙間を上下方向全範囲に亘って覆うように配置された不正防止シートを設け、この不正防止シートにより軸支側端部間の隙間から不正行為実行具の侵入を防ぐパチンコ機の不正防止構造が開示されている。
【先行技術文献】
【特許文献】
【０００７】
【特許文献１】特開２００８−２３１６８号公報
【発明の概要】
【発明が解決しようとする課題】
【０００８】
しかしながら、上記特許文献１は、不正防止シートを、前枠、内枠の軸支側端部間の隙間に上下方向全範囲に亘って覆うように配置しているが、このように、不正防止シートを種々の部材の隙間に取り付けると、部品数が増えることでコストが増大してしまう、並びに、製造工程等が増えることで作業性が煩雑化してしまうという技術的課題があった。
【０００９】
本発明の目的は、上記従来の実状を鑑みて、部品数を増やさずに、不正防止手段を容易に実行することが可能な遊技機を提供することにある。
【課題を解決するための手段】
【００１０】
上記課題を解決するために、本発明に係る遊技機は、遊技球が転動又は流下可能な遊技領域を有すると共に、上記遊技領域に配置され、上記遊技球の入球に起因して作動する賞球手段を設けた遊技盤と、上記遊技盤の背面に配置され、上記遊技盤の背面側に突出する上記賞球手段の突出部を保護する保護ケースと、を少なくとも具備する遊技機において、上記遊技盤の背面には、凹部が形成されると共に、上記保護ケースの周縁の少なくとも一部を上記凹部に挿入して上記遊技盤に上記保護ケースが固定されて構成されている。
【発明の効果】
【００１１】
本発明によれば、部品数を増やさずに、不正防止手段を容易に実行することが可能な遊技機を提供することができる。
【図面の簡単な説明】
【００１２】
【図１】本発明の一実施の形態である遊技機に係る構成について開放状態を模式的に示す斜視図である。
【図２】本発明の一実施の形態である遊技機に係る構成を模式的に示す正面図である。
【図３】本発明の一実施の形態である遊技機の遊技盤に係る構成を模式的に示す正面図である。
【図４】本発明の一実施の形態である遊技機の遊技盤に係る構成の背面側を模式的に示す背面図である。
【図５】図５に示す線Ａ−Ａ´を模式的に示す断面図である。
【図６】図５に示す線Ｂ−Ｂ´を模式的に示す断面図である。
【図７】本発明の一実施の形態である遊技機のユニット装置に係る構成を模式的に示す斜視図である。
【図８】本発明の一実施の形態である遊技機のユニット装置に係る構成の背面側を模式的に示す斜視図である。
【発明を実施するための形態】
【００１３】
以下、図面を参照しながら、本発明の実施の形態について詳細に説明する。なお、遊技機には、例えば、パチンコ遊技機、アレンジボール機又は雀球遊技機等があるが、本発明の実施の形態では、一例として、パチンコ遊技機に基づいて説明する。
（実施の形態１）
【００１４】
図１は、本発明の一実施の形態である遊技機１０に係る構成について開放状態を模式的に示す斜視図であり、図２は、本発明の一実施の形態である遊技機１０に係る構成を模式的に示す正面図である。
【００１５】
図１に例示されるように、遊技機１０は、遊技機１０の外郭を形成する支持体２０と、支持体２０の後述する側板２３を軸にして回動可能に支持体２０に支持された透過部材保持枠３０及び遊技盤保持枠４０とを備えて構成されている。
【００１６】
支持体２０は、上板２１、下板２２、側板２３、側板２４からなる四辺の夫々を連結金具２５ａ、連結金具２５ｂ、連結金具２５ｃ、連結金具２５ｄにより連結して、略長方形状の囲繞空間を有して構成されている。これら上板２１、下板２２、側板２３、側板２４の材質は、変形や歪みが生じにくい木材等が用いられている。
【００１７】
上板２１及び側板２３を連結する連結金具２５ａと、側板２３及び下板２２を連結する連結金具２５ｂとには、遊技機１０の前面側に突出した位置で互いに対向して配置された一対のヒンジ２６ａ、ヒンジ２６ｂが設けられている。
【００１８】
この一対のヒンジ２６ａ、ヒンジ２６ｂには、透過部材保持枠３０及び遊技盤保持枠４０が連結され、上述したように、支持体２０の側板２３を軸にして回動可能となるように支持体２０に支持されている。
【００１９】
透過部材保持枠３０には、この透過部材保持枠３０の後述する側辺３３の上方に突出する枢支軸３６ａ及び側辺３３の下方に突出する枢支軸３６ｂが設けられ、枢支軸３６ａがヒンジ２６ａに回動可能となるように支持され、枢支軸３６ｂがヒンジ２６ｂに回動可能となるように支持されている。
【００２０】
このように、透過部材保持枠３０の枢支軸３６ａ及び枢支軸３６ｂがヒンジ２６ａ及びヒンジ２６ｂに回動可能となるように支持されることで、透過部材保持枠３０が支持体２０の側板２３を軸にして回動可能となるように支持されている。
【００２１】
透過部材保持枠３０は、上辺３１、下辺３２、側辺３３、側辺３４からなる四辺によって略長方形状の囲繞空間を有して構成されている。この透過部材保持枠３０の囲繞空間には、後述する遊技盤１００に対向して配置され、遊技盤１００を被装する透過部材３７が配置されている。これら上辺３１、下辺３２、側辺３３、側辺３４の材質は、軽量化や装飾性の向上の目的から合成樹脂性とすることが望ましく、好ましくは、補強金具３５を固定して歪みや変形を防止するとよい。
【００２２】
透過部材３７は、合成樹脂を用いて形成されている。なお、透過部材３７の材質については、合成樹脂に限定されず、透過部材３７を介して後述する遊技盤１００を遊技者側から目視可能なものであれば、例えば、ガラス板等により形成しても良い。
【００２３】
遊技盤保持枠４０は、透過部材保持枠３０と同様に、上辺４１、下辺４２、側辺４３、側辺４４からなる四辺によって略長方形状の囲繞空間を有して構成されている。この遊技盤保持枠４０の囲繞空間には、後述する遊技盤１００が配置されている。
【００２４】
なお、図１に例示されるように、透過部材保持枠３０は支持体２０に対して開放された状態を示し、遊技盤保持枠４０は支持体２０に対して閉じられた状態を示しているが、これら透過部材保持枠３０及び遊技盤保持枠４０を支持体２に対して閉じた状態では、支持体２０、透過部材保持枠３０及び遊技盤保持枠４０が全て略平行に配置されている。
【００２５】
すなわち、図２に例示されるように、支持体２０に対して透過部材保持枠３０及び遊技盤保持枠４０を閉じた状態では、遊技盤１００に対して所定の間隔を維持して透過部材３７が対向して配置されることで、遊技盤１００の前面が透過部材３７により覆われている。
【００２６】
また、遊技機１０の前面、すなわち、透過部材保持枠３０の前面には、遊技機１０の起動に起因して遊技を装飾する装飾ランプ７１、遊技球を発射させるための操作ハンドル７２、遊技球を溜める上皿７３、装飾ランプ７１と同様に、遊技機１０の起動に起因して遊技を聴覚的に装飾するスピーカー７４が配置されている。
【００２７】
次に、本発明の一実施の形態である遊技機１０の遊技盤１００に係る構成について図３乃至図４を用いて説明する。図３は、本発明の一実施の形態である遊技機１０の遊技盤１００に係る構成を模式的に示した正面図であり、図４は、本発明の一実施の形態である遊技機１０の遊技盤１００に係る構成の背面側を模式的に示した背面図であり。図５は、図４に示す線Ａ−Ａ´を模式的に示す断面図であり、図６は、図４に示す線Ｂ−Ｂ´を模式的に示す断面図である。なお、図５及び図６については、遊技盤１００及び保護ケースについて示した図である。
【００２８】
遊技盤１００は、遊技機１０を遊技場に設置する際、設置面に対して略垂直に立設するように支持体２０に固定されている。すなわち、遊技盤１００の表面（以下、遊技面１０１という。）は、透過部材３７を介して遊技者に対面するように配置されている。
【００２９】
遊技盤１００は、木材等を用いて平板状に形成され、遊技面１０１に遊技球が転動又は流下可能な遊技領域１１０を有すると共に、この遊技領域１１０に配置され、遊技球の入球に起因して作動するユニット装置２００を備えて構成されている。
【００３０】
遊技面１０１には、図示しない発射装置により発射された遊技球を遊技領域１１０に案内する役目を果たし、遊技領域１１０を囲繞して配置され、遊技面１０１に対して垂直に起立して配置された帯状の外ガイドレール１０２及び内ガイドレール１０４が設けられている。
【００３１】
外ガイドレール１０２は、遊技面１０１を正面視すると左側下方から右側上方にかけて遊技領域１１０を囲うように配置されている。具体的には、外ガイドレール１０２の一端１０２ａが遊技面１０１を正面視すると左側下方に配置され、他端１０２ｂが、遊技面１０１の右側上方に配置されている。そして、外ガイドレール１０２は、この外ガイドレール１０２を可撓させて一端１０２ａから他端１０２ｂまで円弧を描くように湾曲して配置されている。
【００３２】
また、遊技面１０１には、この遊技面１０１の外ガイドレール１０２の他端１０２ｂの近傍に位置し、遊技面１０１を飾り付ける飾り部材１０３が配置されている。この飾り部材１０３は、遊技面１０１を正面視すると右側上方から右側下方に向かって遊技面１０１に対して垂直に起立する起立面１０３ａを有して構成されている。
【００３３】
飾り部材１０３の起立面１０３ａは、この起立面１０３ａの上方に位置する外ガイドレール１０２の他端１０２ｂに連設して配置されている。そして、飾り部材１０３の起立面１０３ａの高さは、外ガイドレール１０２の起立高さと同じ高さで形成されている。すなわち、飾り部材１０３の起立面１０３ａは、外ガイドレール１０２と同様に、遊技領域１１０を囲うように配置されている。
【００３４】
また、遊技面１０１には、飾り部材１０３の下方に位置し、遊技状況を表示する後述するユニット装置２００の表示装置１５０が配置されている。表示装置１５０は、遊技面１０１から突出して配置されており、遊技面１０１を正面視すると右側から中心側に向けて下方に傾斜させた直接状の傾斜面１５１を有して構成されている。
【００３５】
表示装置１５０の傾斜面１５１は、この傾斜面１５１の一端が、遊技面１０１を正面視すると傾斜面１５１の右側に位置する飾り部材１０３の起立面１０３ａの他端に連設して配置されている。一方、傾斜面１５１の他端が、内ガイドレール１０４の一端１０４ａに連設して配置されている。そして、傾斜面１５１の高さは、飾り部材１０３の起立面１０３ａの高さと同じ高さで形成されている。すなわち、表示装置１５０の傾斜面１５１は、飾り部材１０３の起立面１０３ａと同様に、遊技領域１１０を囲うように配置されている。
【００３６】
また、遊技面１０１には、上述したように、外ガイドレール１０２と共に、図示しない発射装置により発射された遊技球を遊技領域１１０に案内する役目を果たし、外ガイドレール１０２と同様に、遊技領域１１０を囲繞して配置され、遊技面１０１に対して垂直に起立して配置された帯状の内ガイドレール１０４が設けられている。
【００３７】
本実施の形態において、内ガイドレール１０４の材質も、外ガイドレール１０２の材質と同様に、プラスチック製素材を用いて形成されている。なお、内ガイドレール１０４の材質もプラスチック製素材に限定されず、例えば、金属製素材を用いて形成しても良い。
【００３８】
内ガイドレール１０４は、遊技面１０１を正面視すると、外ガイドレール１０２の内側に配置され、中央下方から左側上方にかけて遊技領域１１０を囲うように配置されている。具体的には、内ガイドレール１０４の一端１０４ａが、遊技面１０１を正面視すると、遊技面１０１の中央下方に配置され、他端１０４ｂが、遊技面１０１の左側上方に配置されている。そして、内ガイドレール１０４は、この内ガイドレール１０４を可撓させて一端１０４ａから他端１０４ｂまで円弧を描くように湾曲して配置されている。
【００３９】
内ガイドレール１０４は、上述したように、内ガイドレール１０４の一端１０４ａが、遊技面１０１を正面視すると中方下方に配置されているが、この一端１０４ａは、遊技面１０１の中心軸よりも右側に配置されており、一端１０４ａから遊技面１０１の中心軸に向かって下方に傾斜しながら時計回りに方向に緩やかに湾曲して配置されている。
【００４０】
すなわち、内ガイドレール１０４は、遊技面１０１の中心軸上において、最も下方に位置すると共に、この位置から他端１０４ｂに向かって上方に傾斜しながら時計回り方向に緩やかに湾曲して配置されている。
【００４１】
このように、外ガイドレール１０２の内側に内ガイドレール１０４が配置され、これら外ガイドレール１０２及び内ガイドレール１０４は、所定の間隔を保って互いに対向して配置されている。そして、外ガイドレール１０２及び内ガイドレール１０４の間には、遊技球が通過可能なガイド通路１０５が区画されている。
【００４２】
ガイド通路１０５は、上述したように、外ガイドレール１０２及び内ガイドレール１０４の間に区画されている。そして、ガイド通路１０５は、図示しない接続通路を介して図示しない発射装置に連接されている。
【００４３】
すなわち、ガイド通路１０５は、発射装置により発射された遊技球が接続通路を通過した後、ガイド通路１０５を通過することで、遊技球が遊技面１０１の左側下方から左側上方に向かって飛び出すように区画されている。
【００４４】
このように、遊技面１０１には、外ガイドレール１０２、飾り部材１０３、表示装置１５０、内ガイドレール１０４が連続して、互いに連接して配置されることで、ガイド通路１０５及び遊技領域１１０が隣接した状態で囲繞形成されている。
【００４５】
遊技領域１１０には、多数の釘が打ち込まれると共に、遊技球の入球に起因して作動する賞球手段である一般入賞口１１１、第１始動口１１２、第２始動口１１３、ゲート１１４及び大入賞口１１５が配置されている。また、遊技領域１１０の下方には、遊技領域１１０の下方に流下した遊技球を遊技機１０の外部に排出する排出口１１６が配置されている。
【００４６】
本実施の形態において、一般入賞口１１１は、遊技面１０１を正面視すると、左側下方に配置されている。具体的には、内ガイドレール１０４に沿って４つの一般入賞口１１１が配置されている。
【００４７】
これら各一般入賞口１１１には、夫々、図示しない検出スイッチが設けられており、例えば、一般入賞口１１１に遊技球が入球すると、入球したことを検出スイッチが検出し、制御手段により所定の賞球が払い出されるように処理が行われる。
【００４８】
第１始動口１１２は、遊技面１０１を正面視すると中央下方、すなわち、中心軸上に配置されている。第１始動口１１２にも、一般入賞口１１１と同様に、図示しない検出スイッチが設けられており、第１始動口１１２に遊技球が入球すると、入球したことを検出スイッチが検出し、制御手段により所定の賞球が払い出されると共に、遊技者に有利な特別遊技の実行の有無の決定（以下、「大当たりの抽選」）が行われる。
【００４９】
第２始動口１１３は、遊技面１０１を正面視すると、右側下方に配置されている。第２始動口１１３は、一対の可動片１１３ａを備えており、これら一対の可動片１１３ａが開状態と、閉状態とに可動制御される。
【００５０】
なお、一対の可動片１１３ａが閉状態になっているときには、第２始動口１１３の真上に配置された後述する入球阻止片２０２が障害物になって、遊技球の受け入れを困難にしている。一方、一対の可動片１１３ａが開状態になっているときには、この一対の可動片１１３ａが受皿として機能し、第２始動口１１３への遊技球の入球が容易になる。
【００５１】
第２始動口１１３にも、一般入賞口１１１及び第１始動口１１２と同様に、図示しない検出スイッチが設けられており、第２始動口１１３に遊技球が入球すると、入球したことを検出スイッチが検出し、制御手段により所定の賞球が払い出されると共に、第１始動口１１２と同様に、大当たりの抽選が行われる。
【００５２】
ゲート１１４は、遊技面１０１を正面視すると、第２始動口１１３の右側に配置され、第２始動口１１３とほぼ同じ高さで配置されている。ゲート１１４にも、一般入賞口１１１、第１始動口１１２及び第２始動口１１３と同様に、図示しなし検出スイッチが設けられており、ゲート１１４を遊技球が通過すると、第２始動口１１３を開放するか否かを決定する普通図柄の抽選が行われる。この普通図柄の抽選によって当たりに当選すると、設定されている遊技状態に応じて第２始動口１１３が所定の態様で開放される。
【００５３】
大入賞口１１５は、遊技面１０１を平面視すると、第２始動口１１３の下方に配置されている。この大入賞口１１５は、通常、開閉扉２０３によって閉状態を維持しているが、第１始動口１１２又は第２始動口１１３に遊技球が入球して所定の抽選結果が得られた場合に開閉扉２０３が開放されて大入賞口１１５に遊技球が入球可能になる。大入賞口１１５にも、図示しない検出スイッチが設けられており、大入賞口１１５に遊技球が入球すると、入球したことを検出スイッチが検出し、所定の賞球が払い出される。
【００５４】
排出口１１６は、遊技面１０１の中心軸上に配置され、遊技面１０１の最も下方、すなわち、遊技領域１１０の最も低い位置に配置されている。排出口１１６は、一般入賞口１１１、第１始動口１１２、第２始動口１１３及び大入賞口１１５の何れにも入球しなかった遊技球を遊技盤１００の背面側に排出する役目を果たしている。
【００５５】
このように、一般入賞口１１１、第１始動口１１２、第２始動口１１３、ゲート１１４及び大入賞口１１５には、夫々、検出スイッチが設けられており、各検出スイッチを制御する制御装置、或いは、制御基板が遊技盤１００の背面側（以下、遊技盤裏面１２０という。）に突出して配置されている。
【００５６】
図４に例示されるように、遊技盤１００の遊技盤裏面１２０には、各制御基板等を保護する保護板が配置されている。また、遊技盤裏面１２０には、各制御基板等を接続する図示しない配線が配置されている。
【００５７】
本実施の形態では、遊技盤裏面１２０には、各制御基板等や配線に遊技球が衝突したり、各制御基板等や配線に埃がかぶらないように、遊技盤裏面１２０の背面を覆う保護ケース１２２が配置されている。
【００５８】
図４乃至図６に例示されるように、保護ケース１２２は、プラスチック製素材等の樹脂を用いて形成されている。保護ケース１２２の外縁には、この外縁に沿って遊技盤裏面１２０と当接する当接面を有し、この当接面に遊技盤裏面１２０を当接させて遊技盤１００に固定させるためのフランジ部１２２ａが形成されている。
【００５９】
遊技盤裏面１２０には、遊技盤裏面１２０の外周に沿って、凹部１２１が形成されている。そして、凹部１２１には、保護ケース１２２のフランジ部１２２ａが挿入され、この凹部１２１内で保護ケース１２２のフランジ部１２２ａが遊技盤１００に固定されている。
【００６０】
したがって、保護ケース１２２のフランジ部１２２ａと遊技盤裏面１２０との接地面に生じる僅かな隙間が、遊技盤裏面１２０に対して凹んだ位置にあるため、例えば、支持体２０と遊技盤保持枠４０との間に生じる僅かな隙間から不正行為実行具を挿入させても、保護ケース１２２の内部に不正行為実行具を挿入させることを防止することができる。
【００６１】
よって、本実施の形態によれば、遊技盤裏面１２０と保護ケース１２２とにより不正防止手段を実行しているため、部品数を増やさず、容易に不正防止手段を実行することができる。
【００６２】
また、本実施の形態では、ユニット装置２００と排出口１１６とが遊技盤１００の幅方向に対して異なる位置に配置されている。すなわち、ユニット装置２００が遊技機１０を正面視すると、遊技盤１００の中心軸に対して右側に配置され、排出口１１６が遊技機１０を正面視すると、遊技盤１００の中心軸上に配置されている。このユニット装置２００について、図７及び図８を用いて説明する。図７は、本発明の一実施の形態である遊技機１０のユニット装置２００に係る構成を模式的に示す斜視図であり、図８は、本発明の一実施の形態である遊技機１０のユニット装置２００に係る構成の背面側を模式的に示す斜視図である。
【００６３】
図７乃至図８に例示されるように、本実施の形態のユニット装置２００は、裏面が遊技盤１００の遊技面１０１に当接して配置される装飾部材２０１と、遊技球の入球に起因して作動する賞球手段である第２始動口１１３及び大入賞口１１５と、装飾部材２０１の下方に配置され、遊技状況を表示する表示装置１５０とを一体に備えて構成されている。
【００６４】
装飾部材２０１は、装飾部材２０１の平面２０１ａを遊技機１０の正面側に臨ませた、すなわち、遊技者から目視可能な状態で配置されている。装飾部材２０１は、上述したように、装飾部材２０１の平面２０１ａの裏面が遊技盤１００の遊技面１０１に当接して固定されている。
【００６５】
装飾部材２０１の平面２０１ａの上部には、入球阻止片２０２が平面２０１ａに対して垂直に突設させて配置されている。入球阻止片２０２の下方には、第２始動口１１３が配置されている。
【００６６】
第２始動口１１３は、断面コ字形状の箱部材１１３ｂを有しており、その開口を上方に臨ませた状態で平面２０１ａから突出するように固定されている。箱部材１１３ｂの開口には、一対の可動片１１３ａが設けられており、一対の可動片１１３ａ上に流下した遊技球が、箱部材１１３ｂ内に導かれると共に、箱部材１１３ｂから遊技盤１００の背面側に排出されている。また、装飾部材２０１の背面側には、一対の可動片１１３ａを開閉するための可動ソレノイドを有する第２始動口可動装置１１３ｃが配置されている。
【００６７】
箱部材１１３ｂの下方には、遊技面１０１を平面視すると、平面２０１ａを貫通する大入賞口１１５が配置されている。この大入賞口１１５には、開閉扉２０３が設けられている。すなわち、開閉扉２０３が閉じている状態では、大入賞口１１５に遊技球が入球することはないが、開閉扉２０３が開いた状態では、大入賞口１１５に遊技球が導く受皿として役目を果たす。
【００６８】
また、装飾部材２０１の背面側には、大入賞口１１５を開閉するための可動ソレノイドを有する大入賞口開閉装置２０４が配置されており、大入賞口１１５に遊技球が入球した際、大入賞口開閉装置２０４を介して遊技盤１００の背面側に遊技球が排出されている。
【００６９】
このように、第２始動口１１３には、一対の可動片１１３ａを開閉するための可動ソレノイドを有する第２始動口可動装置１１３ｃが設けられ、大入賞口１１５には、大入賞口１１５を開閉するための可動ソレノイドを有する大入賞口開閉装置２０４が設けられており、これら第２始動口可動装置１１３ｃ及び大入賞口開閉装置２０４は、遊技盤裏面１２０に突出して配置されている。
【００７０】
遊技盤裏面１２０には、上述したように、これら１１３ｃ、大入賞口開閉装置２０４を覆う保護ケース１２２が配置されている。また、遊技盤裏面１２０には、上述したように、遊技盤裏面１２０の外周に沿って、凹部１２１が形成されている。そして、凹部１２１には、保護ケース１２２のフランジ部１２２ａが挿入され、この凹部１２１内で保護ケース１２２のフランジ部１２２ａが遊技盤１００に固定されている。すなわち、ユニット装置２００の下方に位置する保護ケース１２２のフランジ部１２２ａを遊技盤１００の凹部１２１に挿入して遊技盤１００に保護ケース１２２が固定されている。
【００７１】
したがって、保護ケース１２２のフランジ部１２２ａと遊技盤裏面１２０との接地面に生じる僅かな隙間が、遊技盤裏面１２０に対して凹んだ位置にあるため、例えば、支持体２０と遊技盤保持枠４０との間に生じる僅かな隙間から不正行為実行具を挿入させても、保護ケース１２２の内部に挿入させることを防止することができる。
【００７２】
また、例えば、排出口１１６から不正行為実行具を挿入させても、ユニット装置２００は、排出口１１６から離れた位置に配置されているため、ユニット装置２００に不正行為実行具を挿入させることは困難であり、更には、ユニット装置２００の下方に位置する保護ケース１２２のフランジ部１２２ａと遊技盤裏面１２０との接地面に生じる僅かな隙間が、遊技盤裏面１２０に対して凹んだ位置にあるため、保護ケース１２２の内部に不正行為実行具を挿入させることを防止することができる。
【００７３】
よって、本実施の形態によれば、遊技盤裏面１２０と保護ケース１２２とにより不正防止手段を実行すると共に、ユニット装置２００を排出口１１６から離して配置しているため、部品数を増やさず、容易に不正行為手段を実行することができる。
【符号の説明】
【００７４】
１０      遊技機
２０      支持体
２１      上板
２２      下板
２３      側板
２４      側板
２５      連結金具
２６      ヒンジ
３０      透過部材保持枠
３１      上辺
３２      下辺
３３      側辺
３４      側辺
３５      補強金具
３６      枢支軸
３７      透過部材
４０      遊技盤保持枠
４１      上辺
４２      下辺
４３      側辺
４４      側辺
７１      装飾ランプ
７２      操作ハンドル
７３      上皿
７４      スピーカー
１００      遊技盤
１０１      遊技面
１０２      外ガイドレール
１０３      飾り部材
１０４      内ガイドレール
１０５      ガイド通路
１１０      遊技領域
１１１      一般入賞口
１１２      第１始動口
１１３      第２始動口
１１４      ゲート
１１５      大入賞口
１１６      排出口
１２０      遊技盤裏面
１２１      凹部
１２２      保護ケース
１５０      表示装置
１５１      傾斜面
２００      ユニット装置
２０１      装飾部材
２０２      入球阻止片
２０３      開閉扉
２０４      大入賞口開閉装置
【図１】
2011087620.tif 000003
【図２】
2011087620.tif 000004
【図３】
2011087620.tif 000005
【図４】
2011087620.tif 000006
【図５】
2011087620.tif 000007
【図６】
2011087620.tif 000008
【図７】
2011087620.tif 000009
【図８】
2011087620.tif 000010